(57)【要約】【課題】本発明は障害者が特に家庭内で介護者なしで体を支えながら使用する歩行器が安定性に優れ、簡単に操作できるようにすると、ともに敷居、畳縁等の段差を容易に乗り越え、方向変更を容易に行うこととともに障害者の食卓等の椅子として兼用することを目的とする。【解決手段】滑動台５双方に車輪の入る穴をあけ２枚合わせて接着材と木工用ビスを用いて張り合わせる、体重を支持する枠体２枠体３の下面に左右別々の滑動台５と左右一対の補助台４で形成され、滑動台５の先端側第１そり上がり部１３を後端側に第２曲面上がり部１４を形成するとともに、主軸自在車輪１０を走行床面に接地可能に構成したことにより、約３０ｍｍ程度の段差でも容易に乗り越え、また方向変更が容易に行え、また食卓等の障害者の椅子として兼用できる歩行器兼椅子である。【選択図】図１
2005040560.tif 000002
【特許請求の範囲】
【請求項１】
体重を支持する枠体２の下面に左右一対の補強台４と滑動台５で形成され且つ先端側に第１そり上がり部１３をまた後端側に第２曲面上がり部１４で形成するとともに、左右一対の補強台４の前側の下面に主軸自在車輪１０を取付、走行可能に形成し、また障害者の食卓等の椅子として兼用できる歩行器兼椅子。
【請求項２】
前期第１そり上がり部１３は、滑動台５の全長の１／４程度のそり上がり部で形成され第２曲面上がり部１４は第１のそり上がり部１３より小さい曲率で形成されていることを、特徴とする請求項１に記載される歩行器兼椅子。
【請求項３】
前期滑動台５は、左右一対の補強台４の下面の左右に装着され最先端第１そり上がり部１３の下面にそれぞれ合計６個の固定車輪が、装着された車輪のうち、外側３個直径約４０ｍｍ、内側直径約２５ｍｍ程度の車輪を段違い並列に装着し、車輪と滑走面１５と個々に連動して摩擦力を小さくしたことを特徴とする請求項１に記載される歩行器兼椅子。
【請求項４】
前期滑動台５は後端第２曲面上がり部１４下面にそれぞれ合計２個の固定車輪が装着された車輪のうち後輪案内車輪９を装着することにより、容易に後輪８に連動できることを特徴とする請求項１に記載される歩行器兼椅子。
【請求項５】
前期左右一対の補強台４の下面に主軸自在車輪１０直径約７５ｍｍ程度を装着し、滑動台５の第２曲面上がり部１４の最後端側に小さい後輪８直径約４０ｍｍ程度を装着したことにより歩行器の自走を小さくしたことを特徴とする請求項１に記載される歩行器兼椅子。
【発明の詳細な説明】
【技術分野】
【０００１】この発明は歩行に障害がある障害者が家庭内で杖代わりまた歩行訓練のために体を支えながら前進操作を行うようにした歩行器に関し、危険なく容易に前進できるようにするとともに、段差を容易に乗り越えられ、且つ食卓等の障害者用の椅子に兼用した歩行器。
【背景技術】
【０００２】公報のように前後左右の四隅に車輪をつけ後車輪の車軸間にステップを設け前方を持ち上げるものがある（例えば、特開２０００−０８５５８３号）身体を支える枠体の後輪に車輪をつけ前部脚を前方に向けて突出させるものがある。（例えば、特開２００１−３２７５６２号  ）【０００３】
【特許文献１】特開２０００−０８５５８３号の場合段差を乗り越えるときに車体前方を上げる為ステップを足で踏まなければならない。
【特許文献２】特開２００１−３２７５６２号の場合前方の脚部が固定脚なので枠体を前後揺さぶりながら所望の方向に歩行器を進めなければならない。
【発明の開示】
【発明が解決しようとする課題】
【０００４】そこで本発明は上記の課題を解決するために四隅に車輪を有し、車体前方を持ち上げるステップを設けた歩行器にした場合障害者は両手、片足を使用するので不便で欠点がある。前方の脚部に車輪のない固定脚のものは、枠体を前後に揺さぶりながら所望の方向に歩行器を進めねばならないので相当の体力を要する欠点がある、
【課題を解決するための手段】
【０００５】このようなことから、本発明の目的は、家庭内での走行が比較的に容易にでき、且つ敷居、畳縁等の段差の乗り越えは安全で、容易に走行でき、且つ障害者の食卓またはテレビを観る他に利用できる椅子であり、歩行器兼椅子を開発したものである。
【発明の効果】
【０００６】本発明は上記課題に鑑み、体重を支持する枠体２枠体３の下面に左右一対の補強台４と滑動台５を備えた歩行器にて滑動台５の先端側に第１そり上がり部１３また後端側には第２曲面上がり部１４を形成するともに、左右一対の補強台４の下面に主軸自在車輪１０を装着して走行床面に接地可能に形成する方法を採用した。
【発明を実施するための最良の形態】
【０００７】主軸自在車輪１０は走行床面に接地するので、安定に走行が行える、しかも滑動台５第１そり上がり部１３の車輪は段差以外に動作することがなくの走行床面に対する敷居、畳縁等の段差の摩擦力は第１そり上がり部１３の下面に６個の車輪と滑走面１５が次々に接触することにより、小さくなるので軽快に段差走行が行えると、ともに方向変更が容易に行える。
【実施例】
【０００８】以下に、本発明の実施の形態を図１〜図６に基づいて説明する。
図１に示すように、歩行器兼椅子Ｅは木材から制作され２と３は枠体であり、この枠体は表面にウレタン樹脂塗布した木材を用いて、前後に位置する直線上に２本の丸棒直径約４０ｍｍ程度の座台受７ａと７ｂを椅子としての体重を支える座台６が座台受７ａと７ｂの上端に水平に架設され、さらに歩行用の体重を支える体重支持手すり１が枠体２の上端に設けられ、さらに下方には連結左右一対の補強台４と滑重台５で形成される、標準的高さ約８５０ｍｍと奥行約５８０ｍｍと座高約４２０ｍｍ程度の大きさで形成される、木材に限らず軽金属、合成樹脂からも作成することも可能である。【０００９】図１に示すように滑動台５は体重支持手すり１と枠体２枠体３と座台受７ａ、７ｂと座台６と左右一対補強台４と連結し、さらに主軸自在車輪１０を取付組み立てた部材からなる。【００１０】図３に示すように体重支持手すり１の場合、体重支持手すり１に加重をかけても枠体２枠体３の前後のバランスがとれているので障害者が転倒することがなく安定している且つ枠体２の左右にダボほぞと接着剤と木工用ビスで接合固定する。且つ座受台７ａ、７ｂが枠体２枠体３の左右にダボほぞと接着剤と木工用ビスで接合固定する。補強台４は枠体２の下面にほぞを設けそのほぞと接着剤と木工用ビスで接合固定するそれから、滑動台５上面と接着剤と木工用ビスで接合固定される、座台６は座受台７ａ、７ｂと接着剤と木工用ビスで接合固定される、座台６に障害者が座った場合上記で説明したように全体が安定している、すなわち安定した性能のよい歩行器兼椅子である。【００１１】図４に示すように、第１そり上がり部１３は車輪合計６個のうち、滑動そり車輪１１ａ、１１ｂ、１１ｃ３個と滑動そり車輪１２ａ、１２ｂ、１２ｃ３個と滑走面１５から形成されている。【００１２】図５で説明する段差のある障害物、例えば敷居、畳縁等を乗り越える時に滑動そり車輪１２ａに伝わり次に滑走面１５に伝わり滑動車輪１１ａに次々と連動するので摩擦力が小さく、障害物にも傷を最小限にとどめ、振動が少なく軽快に移動走行することができ、且つ滑走面１５にはポリウレタンとシリコンを塗布することにより滑走をよりよくして、摩擦を小さくすることができる。また滑り材例えばセメダイン株式会社の商品名スベリ材などを貼付することも可能である。後輪８は後輪案内車輪９が滑動台５下面より約２ｍｍ程度車輪を出すことにより障害物の摩擦力、振動が小さく軽快に後輪８に伝わり障害物を乗り越え歩行器兼椅子の移動を円滑にするとともに走行を円滑にする。【００１３】図５のように走行床面Ａ面から段差Ｂ面に乗り越える高さは約３０ｍｍまで容易に乗り越え可能である、例えばＡ面が５０ｍｍの場合Ａ面の高さに対してＤ面の長さが２倍の長さのスロープを置くことにより約５０ｍｍまで後ろに転倒することなく、安定した走行で容易に乗り越えることが可能である。【００１４】すなわち滑動台５は幅約６０ｍｍ、長さ約５８０ｍｍ程度で先端側が全長の１／４程度の第１そり上がり部１３が設けられ後端には第２曲面上がり部１４が形成されることにより、先端側が浮き上がり状態で傾斜してその一部の滑動そり車輪１１ａ、１１ｂ、１１ｃ、１２ａ、１２ｂ、１２ｃと滑走面１５と入り替わり段差Ｂ面に充分に接地しているので、滑動台５は段差Ｂ面に対して充分な接触面積を保有して安定に走行が行える。しかも走行床面Ａ面での障害者が意図する方向へ歩行器の方向転換操作が容易で且つ確実となり、歩行が確実に行える【００１５】椅子として使用する場合座台６の高さが約４２０ｍｍ程度と枠体２と体重支持手すり１が形成されているので、背もたれに変化する、座ることによって食事とかテレビを観る等できる、座台６の上に滑り止め付きクッション敷くことにより長時間座っていることも可能である。
【産業上の利用可能性】
【００１６】
【図面の簡単な説明】
【００１７】
【図１】本発明の側面図である。
【図２】本発明の正面図である。
【図３】本発明の斜面図である。
【図４】本発明の主要部を示す斜面図である。
【図５】本発明の段差を乗り越える場合の断面図である。
【図６】本発明の要部をを示す斜面図である。
【符号の説明】
【００１８】１      体重支持手すり
２      枠体
３      枠体
４      左右一対の補強台
５      滑動台
６      座台
７ａ    座受台
７ｂ    座受台
８      後輪
９      後輪案内車輪
１０    主軸自在車輪
１１ａ  滑動そり車輪
１１ｂ  滑動そり車輪
１１ｃ  滑動そり車輪
１２ａ  滑動そり車輪
１２ｂ  滑動そり車輪
１２ｃ  滑動そり車輪
１３    第１そり上がり部
１４    第２曲面上がり部
１５    滑走面
【図１】
2005040560.tif 000003
【図２】
2005040560.tif 000004
【図３】
2005040560.tif 000005
【図４】
2005040560.tif 000006
【図６】
2005040560.tif 000007
【図５】
2005040560.tif 000008